(57)【要約】【課題】照明器具本体と端子台との接地において、部品を増やすことなく、確実性の高い安定した接地構造を備えた照明器具を提供する。【解決手段】シャーシ７（取付板）に取り付けられる端子台１のアース接続構造であって、端子台１は、シャーシ７に取り付けられる取付面から突出するアース舌片５を備え、シャーシ７は、アース舌片５が挿入される開口を形成するとともに、アース舌片５とアース接続される開口周縁部８と、開口８０に挿入されたアース舌片５の少なくとも先端５２を覆うように形成され、アース舌片５を保護する保護部１０とを備える。【選択図】図２
2010153334.tif 000002
【特許請求の範囲】
【請求項１】
取付板に取り付けられる端子台のアース接続構造において、
前記端子台は、
前記取付板に取り付けられる取付面から突出するアース舌片を備え、
前記取付板は、
前記アース舌片が挿入される開口を形成するとともに、前記アース舌片とアース接続される開口周縁部と、
前記開口に挿入された前記アース舌片の少なくとも先端を覆うように形成され、前記アース舌片を保護する保護部とを備える
ことを特徴とするアース接続構造。
【請求項２】
前記保護部は、
前記開口周縁部の一部から連続して、前記開口にブリッジ状に形成されたことを特徴とする請求項１に記載のアース接続構造。
【請求項３】
前記アース舌片は、
先端から縦方向に切り欠かれた切り欠き部を備え、両側面が前記開口周縁部に圧接されたことを特徴とする請求項１または２に記載のアース接続構造。
【請求項４】
点灯装置と、
請求項１〜３のいずれかに記載のアース接続構造とを備えた照明器具。
【発明の詳細な説明】
【技術分野】
【０００１】
本発明は、例えば、端子台のアース接続構造に関するものであり、特に、照明器具等のシャーシなどの取付板に取り付けられる端子台のアース接続構造に関する。
【背景技術】
【０００２】
従来技術では、端子台の取付面より突出した弾性導電板舌片を、器具本体のシャーシに加工（形成）された抜き穴に取付（挿入）することにより、シャーシと端子台の弾性導電板舌片とを導通させる構造がある（特許文献１参照）。
【０００３】
また、従来技術の他の例では、端子台の中にアース用の端子を設け、アース用端子にはねじ用のタップ加工を施し、器具本体のシャーシ部をはさみアース用端子のタップ加工部分にねじにより固定することにより、シャーシと端子台のアース用端子とを導通させる構造がある（特許文献２）。
【特許文献１】実公平７−４７８０７号公報
【特許文献２】特公平６−５４６９２号公報
【発明の開示】
【発明が解決しようとする課題】
【０００４】
しかしながら、端子台の取付面より突出した弾性導電板舌片を器具本体のシャーシに加工（形成）された抜き穴に取付（挿入）する構造では、端子台をシャーシに取り付けた状態で、シャーシの抜き穴から舌片が器具本体の外郭に突出してしまう。このため、照明器具組立時あるいは施工時に、この突出した舌片により、他の部品や天井材等の施工面に傷等の損傷をつけてしまうおそれがある。また、器具本体の取付時に、対応する施工面に凸部等があった場合に、突出した舌片がその凸部に押されてしまいシャーシと舌片の導通が不安定となるおそれがある。
【０００５】
また、ねじにより器具本体のシャーシ部と端子台のアース用端子のタップ加工部とをねじ止めする構造では、器具本体の外郭に突出する舌片等はないが、接地（アース接続）するために必ずねじが必要となるとともに、端子台内部に組み込まれるアース用端子にねじ取付用のタップ加工が必要となる。このため、照明器具等の製造コストが上がってしまう。また、このような構造では、目視による接地の確認ができないので、接地の安定性に欠けてしまう等の課題もある。
【０００６】
本発明は、例えば、上記のような課題を解決するためになされたものであり、照明器具等において確実性の高い安定した接地を得ることができるとともに、ネジ等の部品を追加することなく製造コストを抑えたアース接続構造を備える照明器具等を提供することを目的とする。
【課題を解決するための手段】
【０００７】
本発明に係るアース接続構造は、取付板に取り付けられる端子台のアース接続構造であって、
前記端子台は、
前記取付板に取り付けられる取付面から突出するアース舌片を備え、
前記取付板は、
前記アース舌片が挿入される開口を形成するとともに、前記アース舌片とアース接続される開口周縁部と、
前記開口に挿入された前記アース舌片の少なくとも先端を覆うように形成され、前記アース舌片を保護する保護部とを備える
ことを特徴とする。
【発明の効果】
【０００８】
本発明に係るアース接続構造は、取付板に取り付けられる端子台のアース接続構造であって、前記端子台は、前記取付板に取り付けられる取付面から突出するアース舌片を備え、前記取付板は、前記アース舌片が挿入される開口を形成するとともに、前記アース舌片とアース接続される開口周縁部と、前記開口に挿入された前記アース舌片の少なくとも先端を覆うように形成され、前記アース舌片を保護する保護部とを備えているので、取付板と端子台のアース接続において、ネジ等の部品を追加することなく、確実で安定したアース接続を得られるという効果を奏する。また、組立時あるいは施工時に、アース舌片によって他部品や天井施工面等に傷を付ける恐れがなくなるという効果を奏する。
【発明を実施するための最良の形態】
【０００９】
実施の形態１．
図１は、実施の形態１に係る端子台１とシャーシ７（取付板）とを示す図であり、嵌合する前の状態を示す斜視図である。図２は、実施の形態１に係る端子台１とシャーシ７（取付板）とが嵌合した後の状態を示す断面図である。図３は、実施の形態１に係る端子台１の正面図である。図１〜図３を用いて、実施の形態１に係る端子台１及びシャーシ７（取付板）の構造について説明する。
【００１０】
端子台１は、屋内配線を差込むことで、照明器具等に給電をする部品である。また、端子台１は、給電と同時に屋内配線より照明器具等のアースをとる部品でもある。例えば、端子台１は、照明器具に搭載されているランプを点灯させる点灯装置に備えられている。照明器具の入力が１５０Ｖを越えるものは、アース（接地）することが必要である。
【００１１】
端子台１は、正面（上面）に屋内配線を接続する電源穴１２と、アース線を接続するアース線穴１１とを備える（図３参照）。端子台１は、側面に照明器具等の内部に給電するための器具内部配線穴１３を備える（図１参照）。端子台１は、電源穴１２に接続された屋内配線により外部電源等から供給された電力を、器具内部配線穴１３に接続された器具内部配線により照明器具内部へ供給する。また、端子台１は、後述するアース接続構造により照明器具本体（シャーシ７等）とアース接続しており、アース線穴１１に接続されたアース線によりアースをとる。
【００１２】
端子台１は、照明器具等のシャーシ７（取付板）に取り付けられる。端子台１は、シャーシ７に取り付けられる面である取付面１４に、取付爪２を備える。また、シャーシ７には、取付爪２が挿入されて係止される取付穴３が形成される。端子台１は、シャーシ７に取り付けられる際に、取付爪２がシャーシ７の取付穴３と嵌合することによりシャーシ７に係止され固定される。例えば、取付爪２は、弾性変形（弾性移動）可能であり、取付穴３に挿入されると弾性力により爪部分が取付穴３の縁部に引っ掛かり、係止され固定される。また、シャーシ７（取付板）への取付はネジ等でも可能であるが、図１に示すように、端子台１の取付爪２で取り付けることにより、部品数を減らすことができる。
【００１３】
端子台１は、取付面１４から突出するアース舌片５を備える。図２に示すように、アース舌片５は、アース片４に連続して形成される。アース片４は、導電板により形成され、アース線穴に差し込まれたアース線に接続されアースをとるための部品である。アース舌片５は、アース片４の取付面１４側の端部である。アース舌片５は、その先端から縦方向に切り欠かれた切り欠き部５１が形成されている（図１参照）。アース舌片５は、切り欠き部５１を備えることにより、後述するようにアース舌片５の幅方向に弾力性を有する。
【００１４】
シャーシ７（取付板の一例）には、端子台１が取り付けられた際に、上述したように端子台１の取付面１４が当接する。シャーシ７は、端子台１の取付面１４に設けられた取付爪２と嵌合する取付穴３を備える。また、シャーシ７は、端子台１が取り付けられる際にアース舌片５が挿入される開口８０と、開口８０の周縁であってアース舌片５とアース接続される開口周縁部８と、開口８０に挿入されたアース舌片５の少なくとも先端を覆うようにアース舌片５を保護する保護部１０とを備える。
【００１５】
保護部１０は、開口周縁部８の一部から連続して、開口８０にブリッジ状に形成されている。つまり、開口８０に架けられたブリッジのような形状である。開口８０を形成する開口周縁部８のうち、保護部１０が連続する周縁を連続部９１、保護部１０が連続しないせん断された部分をせん断部９と呼ぶ。連続部９１は、開口８０において対向する１対の辺（縁）である。せん断部９は、連続部９１と隣り合う辺（縁）であって、開口８０において対向する１対の辺（縁）である。
【００１６】
本実施の形態における保護部１０と開口８０と開口周縁部８とは、例えば、金属板のしぼり加工等により形成される。まず、シャーシ７において、開口８０のせん断部９となる位置に略平行に２箇所の切り込みを設ける。この切り込みはせん断により形成され、せん断部９のせん断面は塗装の無い金属部分が露出することになる。２箇所の切り込みの幅は、連続部９１の幅（すなわち、保護部１０の幅Ｌ１）以上となる。
【００１７】
切り込みを形成した後、シャーシ７の保護部１０が突出する側の面の反対側の面から、２本の切り込みに挟まれた部分についてしぼり加工（押し出し加工）を施す。シャーシ７の保護部１０が突出する側の面（以下、シャーシ突出面７１）とは、シャーシ７に端子台１を取り付けた場合に、端子台１の取付面１４と当接する面（シャーシ取付面７２）の反対側の面となる（図２参照）。
【００１８】
これにより、保護部１０はシャーシ７の保護部１０が突出する側の面（シャーシ突出面７１）から押し出され、ブリッジ状に形成される。保護部１０の形状は、せん断部９方向の断面が略台形状である。保護部１０のせん断部９方向の断面形状は、これに限られず、深しぼり加工のバリエーションにより、例えば、半円形、半長円形、矩形、多角形等でも構わない。また、保護部１０の高さＬ２（図２参照）は、アース舌片５の先端５２が保護部１０の天井面に接しないような高さとする必要がある。この理由については後述する。
【００１９】
図４は、シャーシ７に端子台１を取り付けた状態で、図２におけるＣ部を図１のＡ方向から見た図である。図５は、シャーシ７に端子台１を取り付けた状態で、図２におけるＣ部を図１のＢ方向から見た図である。図４及び図５を用いて端子台１のアース接続構造の詳細について以下に説明する。
【００２０】
図４に示すように、アース舌片５は、先端５２に向かって徐々に細くなる舌状である。アース舌片５には、先端５２から縦方向に切り欠かれた切り欠き部５１が形成されている。本実施の形態では、アース舌片５の略中心に縦方向に１本（１箇所）の切り欠き部５１を設けているが、例えば、アース舌片５の略中心の両側に、縦方向に２本の切り欠き部を設けてもよい。あるいは、２本以上の切り欠き部を設けても構わない。
【００２１】
この切り欠き部５１を備えることにより、アース舌片５は舌片幅方向に弾力性を持つ。アース舌片５は舌片幅方向に弾力性を有するので、アース舌片５を開口８０に挿入する際に、舌片幅（アース舌片５の細くなっていない部分の幅Ｌ４）よりも短い開口幅（Ｌ１）であっても舌片幅方向に縮むことにより圧入可能である。このため、開口８０の開口幅Ｌ１は、アース舌片５の舌片幅Ｌ４（アース舌片５の細くなっていない部分の幅）よりもやや短く形成される必要がある。
【００２２】
アース舌片５は、開口８０に圧入されると、舌片幅方向に伸びようとする弾性力により、両側の舌片側面５３が開口周縁部８に圧接する。図４に示すように、舌片側面５３と開口周縁部８との接触部８１では、Ｄ１及びＤ２の矢印の方向にアース舌片５の弾性力が働き、舌片側面５３が開口周縁部８に圧接している。
【００２３】
図１に示すように、舌片側面５３と接する開口周縁部８はせん断部９である。したがって、舌片側面５３と開口周縁部８のせん断部９とが圧接されて、アース舌片５とシャーシ７との導通が得られる。また、舌片側面５３と開口周縁部８のせん断部９とが圧接されているので、確実に導通を得ることができる。
【００２４】
本実施の形態では、アース舌片５は、アース舌片５の舌片側面５３がせん断部９０に圧接するような向きに開口８０に挿入されるが、例えば、アース舌片５の舌片側面５３が連続部９１に圧接するような向きに開口８０に挿入されても構わない。その場合は、舌片側面５３と圧接する連続部９１部分の塗装を剥がして、金属部分とする。また、圧入することにより、圧入の際に舌片側面５３で連続部９１の塗装を剥がすようにしてもよい。また、この場合は、アース舌片５が保護部１０の内側の面に接触することの無いように、アース舌片５の形状や保護部１０の形状の設計をする必要がある。
【００２５】
図４及び図５に示すように、保護部１０はアース舌片５の先端５２を覆うように形成される。アース舌片５の先端５２と保護部上面部１０１の内側の面との距離Ｌ３は、先端５２が保護部上面部１０１に接することがないように所定の距離をとることが望ましい。保護部上面部１０１が先端５２に接してしまうと、アース舌片５が端子台１の内部の方向へ押され、アース舌片５とシャーシ７とのアース接続が不安定になってしまうおそれがあるからである。
【００２６】
本実施の形態に係るアース舌片５は、切り欠き部５１を備えることで舌片幅方向に弾力性を持たせる構造としたが、舌片幅方向に弾力性を備えるような構造であれば、これに限られない。例えば、アース舌片の縦方向に折り込み部を設けることで舌片幅方向に弾力性を備えるようにしてもよい。また、アース舌片の縦方向に切り込みを設けて、両側の舌片同士が重なり合ってスライドするように構成して舌片幅方向に弾力性を備えるようにしてもよい。また、アース片４の少なくとも一部を糸切りばさみのような構成とし、そのはさみの先端部分をアース舌片として、舌片幅方向に弾力性を備えるようにしてもよい。
【００２７】
図６は、本実施の形態における保護部１０の形状のバリエーション（ａ）（ｂ）を示す図である。
【００２８】
図６（ａ）では、保護部１１０のブリッジ部分が、シャーシ７の連続部９１から保護部側面部１０２、保護部上面部１０１、保護部側面部１０２に対向する保護部側面部１０３と連続して形成されている。保護部側面部１０３の先端は、シャーシ７に連続せずにＤ部までしか形成されておらず、保護部側面部１０３とシャーシ７との間は開放されたブリッジ開口１０４となっている。このように、図６（ａ）の保護部１１０では、ブリッジ開口１０４を備えているので、アース舌片５の舌片面等のメンテナンスがしやすい。
【００２９】
図６（ｂ）では、開口８０の周りにせん断部９を設けずに深しぼり加工（押し出し加工）を施して形成した保護部１２０を示している。つまり、保護部１２０では、アース舌片５が挿入される開口８０の全体をおわんを被せるように覆う形状である。保護部１２０は、開口８０の全体を覆う形状であるので、他の部品や他の機材によりアース舌片５が変形・移動・損傷するおそれがない。また、アース舌片５によって、他の部品や他の機材を変形・移動・損傷するおそれがない。このとき、開口周縁部８にはせん断部９が形成されないため、アース舌片５の舌片側面５３が圧接する部分の塗装を剥がす必要がある。あるいは、アース舌片５を開口８０に圧入することにより、圧入の際に舌片側面５３で連続部９１の塗装を剥がすように構成してもよい。
【００３０】
以上のように、実施の形態１のアース接続構造によれば、照明器具の外郭にアース舌片５が突出することがないので、アース舌片５のエッジによる他の部品への損傷を防止することができる。また、照明器具等の施工面に凸部等があっても、アース舌片５を保護することができるので、端子台１と照明器具本体との接地機能（アース接続機能）を損なわない。
【００３１】
また、実施の形態１のアース接続構造によれば、ネジ等の追加部品を用いて、アース用端子と器具本体のシャーシとをアース接続する構造ではないので、製造コストを安くすることができる。
【００３２】
本実施の形態に係るアース接続構造は、点灯装置を備える照明器具に適用することができる。照明器具に搭載された点灯装置には、端子台が備えられている。端子台は照明器具の器具本体（あるいは点灯装置）のシャーシに取り付けられる。そのとき、照明器具は本実施の形態を適用することにより、確実性が高く安全であり、製造コストの安いアース接続構造を備えることができる。
【図面の簡単な説明】
【００３３】
【図１】実施の形態１に係る端子台１とシャーシ７（取付板）とを示す図であり、嵌合する前の状態を示す斜視図である。
【図２】実施の形態１に係る端子台１とシャーシ７（取付板）とが嵌合した後の状態を示す断面図である。
【図３】実施の形態１に係る端子台１の正面図である。
【図４】シャーシ７に端子台１を取り付けた状態で、図２におけるＣ部を図１のＡ方向から見た図である。
【図５】シャーシ７に端子台１を取り付けた状態で、図２におけるＣ部を図１のＢ方向から見た図である。
【図６】本実施の形態における保護部１０の形状のバリエーション（ａ）（ｂ）を示す図である。
【符号の説明】
【００３４】
１  端子台、２  取付爪、３  取付穴、４  アース片、５  アース舌片、７  シャーシ、８  開口周縁部、９  せん断部、１０  保護部、１１  アース線穴、１２  電源穴、１３  器具内部配線穴、１４  取付面、５１  切り欠き部、５２  先端、５３  舌片側面、８０  開口、８１  接触部、９１  連続部、１０１  保護部上面部、１０２，１０３  保護部側面部、１０４  ブリッジ開口、１１０，１２０  保護部。
【図１】
2010153334.tif 000003
【図２】
2010153334.tif 000004
【図３】
2010153334.tif 000005
【図４】
2010153334.tif 000006
【図５】
2010153334.tif 000007
【図６】
2010153334.tif 000008